(57)【要約】【課題】錠装置が分解されることにより不正行為がなされることを防止する。【解決手段】錠装置１には、錠装置本体１０と、外側エスカチオン１３、シリンダユニット１４、内側エスカチオン１６およびサムターンユニット１７のそれぞれとの間を電気的に接続するループ状回路部２３、２６、２９、３２と、ループ状回路部２３、２６、２９、３２の切断をそれぞれ検知する検知部２１、２４、２７、３０と、各検知部２１、２４、２７、３０が各ループ状回路部２３、２６、２９、３２の切断を検知したときにブザー音を出力する制御部３３およびブザー３４等を設ける。外側エスカチオン１３、シリンダユニット１４、内側エスカチオン１６およびサムターンユニット１７のいずれかが錠装置本体１０または扉２から取り外されたときにはブザー音が出力される。【選択図】図２
2012026203.tif 000002
【特許請求の範囲】
【請求項１】
扉に取り付けられ、施錠時に扉を開扉不能にする錠装置であって、
錠ケース、および前記錠ケース内に設けられ施錠時にボルトを前記扉から突出させた状態で固定することにより前記扉を開扉不能にするボルト機構を有し、前記扉の内部に設けられた錠装置本体と、
前記扉の一面側に取り付けられた一側エスカチオンと、
前記扉の一面側において前記錠装置本体に取り付けられ、鍵穴を有し、前記鍵穴に鍵を挿入することにより前記ボルト機構を動作させて施解錠を行うシリンダユニットと、
前記扉の他面側に取り付けられた他側エスカチオンと、
前記扉の他面側において前記錠装置本体に取り付けられ、摘みを有し、前記摘みを操作することにより前記ボルト機構を動作させて施解錠を行うサムターンユニットと、
前記一側エスカチオン、前記シリンダユニット、前記他側エスカチオンおよび前記サムターンユニットのうちの少なくとも１つである検知対象物が前記錠装置本体または前記扉から取り外されたことを検知する分解検知手段と、
前記検知対象物が前記錠装置本体または前記扉から取り外されたことを前記分解検知手段が検知したときに警報を出力する警報出力手段とを備えていることを特徴とする錠装置。
【請求項２】
前記分解検知手段は、前記検知対象物と前記錠装置本体との間を電気的に接続する電気回路を有し、前記電気回路が切断されたことを検知することを特徴とする請求項１に記載の錠装置。
【請求項３】
前記錠装置本体および前記検知対象物には前記錠装置本体または前記扉に前記検知対象物が取り付けられた状態で互いに接触すると共に前記電気回路の途中に接続された端子がそれぞれ設けられていることを特徴とする請求項２に記載の錠装置。
【請求項４】
前記ボルト機構は、当該錠装置外または当該錠装置内に設けられた駆動電源から供給される電力により駆動し、前記ボルトを動かして施解錠動作を行う電動アクチュエータを有し、
当該錠装置内には、前記分解検知手段および前記警報出力手段を動作させるための電力を前記分解検知手段および前記警報出力手段に供給する、前記駆動電源とは別の専用電源が設けられていることを特徴とする請求項２または３に記載の錠装置。
【請求項５】
前記警報出力手段はブザーであることを特徴とする請求項１ないし４のいずれかに記載の錠装置。
【請求項６】
前記一側エスカチオン、前記シリンダユニット、前記他側エスカチオンおよび前記サムターンユニットのそれぞれが前記検知対象物であり、
前記分解検知手段は、前記検知対象物が前記錠装置本体または前記扉から取り外されたことを前記検知対象物ごとに検知し、
前記警報出力手段は、前記分解検知手段の検知結果に基づき、前記検知対象物うちの１つでも前記錠装置本体または前記扉から取り外されたときには警報を出力することを特徴とする請求項１ないし５のいずれかに記載の錠装置。
【発明の詳細な説明】
【技術分野】
【０００１】
本発明は、扉に取り付けられ、施錠時に扉を開扉不能にする錠装置に関する。
【背景技術】
【０００２】
一般に、扉に用いられる錠装置は、錠ケースおよび錠ケース内に設けられたボルト機構を有して扉内部に設けられた錠装置本体と、扉の室外側の面に取り付けられた外側エスカチオンと、扉の室外側において、外側エスカチオンの取付孔を介して錠装置本体に取り付けられたシリンダユニットと、扉の室内側の面に取り付けられた内側エスカチオンと、扉の室内側において、内側エスカチオンの取付孔を介して錠装置本体に取り付けられたサムターンユニットとを備えている。
【０００３】
このような錠装置は、通常、室外側から分解することができない構造となっているが、室内側からは分解することができるようになっている。例えば、鍵を変更する必要が生じた場合には、管理者から依頼を受けた作業者等が、室内側から錠装置を分解して、シリンダユニットを交換することがある。
【発明の概要】
【発明が解決しようとする課題】
【０００４】
ところで、錠装置は室内側から分解することができるので、例えば、不正行為者が扉に取り付けられた錠装置を部屋内側から分解し、当該錠装置のシリンダユニットを、不正行為者が予め用意しておいた別のシリンダユニットにすり替えるといったことが起こり得る。そして、当該不正行為者が、すり替えたシリンダユニットの合鍵を持っており、後日、その合鍵を用いて当該錠装置を解錠し、当該部屋の扉を開けて当該部屋内に侵入し、窃盗を行うといったことが起こるおそれがある。
【０００５】
なお、このような不正行為が実際に行われた事実は少なくとも日本国内においては報告されておらず、また、このような不正行為は錠装置からシリンダユニットを容易に取り外すことができないようにする等の措置を講じることにより抑制することができる。しかし、不正行為防止をより一層強化することが望ましい。
【０００６】
本発明は例えば上述したような問題に鑑みなされたものであり、本発明の課題は、錠装置が分解されることにより不正行為がなされることを防止することができる錠装置を提供することにある。
【課題を解決するための手段】
【０００７】
上記課題を解決するために、本発明の第１の錠装置は、扉に取り付けられ、施錠時に扉を開扉不能にする錠装置であって、錠ケース、および前記錠ケース内に設けられ施錠時にボルトを前記扉から突出させた状態で固定することにより前記扉を開扉不能にするボルト機構を有し、前記扉の内部に設けられた錠装置本体と、前記扉の一面側に取り付けられた一側エスカチオンと、前記扉の一面側において前記錠装置本体に取り付けられ、鍵穴を有し、前記鍵穴に鍵を挿入することにより前記ボルト機構を動作させて施解錠を行うシリンダユニットと、前記扉の他面側に取り付けられた他側エスカチオンと、前記扉の他面側において前記錠装置本体に取り付けられ、摘みを有し、前記摘みを操作することにより前記ボルト機構を動作させて施解錠を行うサムターンユニットと、前記一側エスカチオン、前記シリンダユニット、前記他側エスカチオンおよび前記サムターンユニットのうちの少なくとも１つである検知対象物が前記錠装置本体または前記扉から取り外されたことを検知する分解検知手段と、前記検知対象物が前記錠装置本体または前記扉から取り外されたことを前記分解検知手段が検知したときに警報を出力する警報出力手段とを備えていることを特徴とする。
【０００８】
上述した本発明の第１の錠装置によれば、一側エスカチオン、シリンダユニット、他側エスカチオンまたはサムターンユニットが錠装置本体または扉から取り外されたとき、警報が出力される。これにより、例えば管理者等は、錠装置が分解されたことを知ることができ、窃盗準備行為の防止等を図ることができる。
【０００９】
また、本発明の第２の錠装置は、上述した本発明の第１の錠装置において、前記分解検知手段は、前記検知対象物と前記錠装置本体との間を電気的に接続する電気回路を有し、前記電気回路が切断されたことを検知することを特徴とする。
【００１０】
上述した本発明の第２の錠装置によれば、一側エスカチオン、シリンダユニット、他側エスカチオンまたはサムターンユニットが錠装置本体または扉から取り外されたことを確実に検知することができ、しかも、このような検知手段を簡単に形成することができる。
【００１１】
上述した本発明の第３の錠装置は、上述した本発明の第２の錠装置において、前記錠装置本体および前記検知対象物には前記錠装置本体または前記扉に前記検知対象物が取り付けられた状態で互いに接触すると共に前記電気回路の途中に接続された端子がそれぞれ設けられていることを特徴とする。
【００１２】
上述した本発明の第３の錠装置によれば、錠装置本体に検知対象物を取り付けるときに、錠装置本体に設けられた端子と検知対象物に設けられた端子とを互いに接触させれば分解検知のための電気回路を形成することができるので、分解検知のための電気回路を簡単に形成することができる。また、錠装置の構造を複雑化させることを防止でき、錠装置の組立性の悪化を防ぐことができる。
【００１３】
また、本発明の第４の錠装置は、上述した本発明の第２または第３の錠装置において、前記ボルト機構は、当該錠装置外または当該錠装置内に設けられた駆動電源から供給される電力により駆動し、前記ボルトを動かして施解錠動作を行う電動アクチュエータを有し、当該錠装置内には、前記分解検知手段および前記警報出力手段を動作させるための電力を前記分解検知手段および前記警報出力手段に供給する、前記駆動電源とは別の専用電源が設けられていることを特徴とする。
【００１４】
上述した本発明の第４の錠装置によれば、たとえ駆動電源が切られても、専用電源によって分解検知手段および警報出力手段を動作させることができ、分解の検知および警報の出力を行うことができる。
【００１５】
また、本発明の第５の錠装置は、上述した本発明の第１ないし第４のいずれかの錠装置において、前記警報出力手段はブザーであることを特徴とする。
【００１６】
上述した本発明の第５の錠装置によれば、一側エスカチオン、シリンダユニット、他側エスカチオンまたはサムターンユニットが錠装置本体または扉から取り外されたことを確実に報知することができ、しかも、このような警報手段を簡単に形成することができる。
【００１７】
また、本発明の第６の錠装置は、上述した本発明の第１ないし第５のいずれかの錠装置において、前記一側エスカチオン、前記シリンダユニット、前記他側エスカチオンおよび前記サムターンユニットのそれぞれが前記検知対象物であり、前記分解検知手段は、前記検知対象物が前記錠装置本体または前記扉から取り外されたことを前記検知対象物ごとに検知し、前記警報出力手段は、前記分解検知手段の検知結果に基づき、前記検知対象物のうちの１つでも前記錠装置本体または前記扉から取り外されたときには警報を出力することを特徴とする。
【００１８】
上述した本発明の第６の錠装置によれば、一側エスカチオン、シリンダユニット、他側エスカチオンおよびサムターンユニットのうちの１つでも錠装置本体または扉から取り外されたならば警報が出力される。これにより、例えば管理者等は、窃盗準備行為の着手があった時点で、直ちに当該行為が行われたことを知ることができるので、窃盗準備行為の防止等を一層効果的に図ることができる。
【発明の効果】
【００１９】
本発明によれば、錠装置が分解されることにより不正行為がなされることを防止することができる。
【図面の簡単な説明】
【００２０】
【図１】本発明の実施形態による錠装置を示す断面図である。
【図２】本発明の実施形態による錠装置の分解検知回路等を示す説明図である。
【発明を実施するための形態】
【００２１】
以下、本発明の実施の形態について添付図面を参照しながら説明する。図１は本発明の実施形態による錠装置を示している。図１において、本発明の実施形態による錠装置１は、例えば部屋の扉２に取り付けられている。
【００２２】
錠装置１は錠装置本体１０を備え、錠装置本体１０は扉２の内部に設けられている。錠装置本体１０は錠ケース１１を備え、錠ケース１１内にはボルト機構１２が設けられている。本実施形態による錠装置１は電気錠である。そのため、ボルト機構１２は、デッドボルト、デッドボルトを移動させるための電動アクチュエータ、電動アクチュエータの動力をデッドボルトに伝達する動力伝達機構、電動アクチュエータの駆動を制御する駆動制御回路、および駆動制御回路に電力を供給する駆動電源としての電池を備えている。また、本実施形態による錠装置１にはラッチボルト機構が組み込まれている。そのため、ボルト機構１２は、ラッチボルト、並びに外側レバーハンドル１５および内側レバーハンドル１８の動きをラッチボルトに伝達する動力伝達機構を備えている。なお、このようなボルト機構１２の内部構成は周知であるので詳細な図示を省略する。
【００２３】
また、扉２の部屋外側において、錠装置１は、外側エスカチオン１３、シリンダユニット１４および外側レバーハンドル１５を備えている。外側エスカチオン１３は扉２の部屋外側の面に取り付けられている。シリンダユニット１４は、外側エスカチオン１３に設けられた取付孔１３Ａを介して錠装置本体１０に取り付けられている。シリンダユニット１４において、部屋外側の端部には鍵穴１４Ａが開口しており、部屋内側の端部は、ボルト機構１２におけるデッドボルトを移動させるための動力伝達機構に連結されている。また、外側レバーハンドル１５において、部屋外側の端部には把持部１５Ａが設けられ、部屋内側の端部は、ボルト機構１２におけるラッチボルトを移動させるための動力伝達機構に連結されている。
【００２４】
また、扉２の部屋内側において、錠装置１は、内側エスカチオン１６、サムターンユニット１７および内側レバーハンドル１８を備えている。内側エスカチオン１６は扉２の部屋内側の面に取り付けられている。サムターンユニット１７は、内側エスカチオン１６に設けられた取付孔１６Ａを介して錠装置本体１０に取り付けられている。サムターンユニット１７において、部屋内側の端部には摘み１７Ａが設けられ、部屋外側の端部は、ボルト機構１２におけるデッドボルトを移動させるための動力伝達機構に連結されている。また、内側レバーハンドル１８において、部屋内側の端部には把持部１８Ａが設けられ、部屋外側の端部は、ボルト機構１２におけるラッチボルトを移動させるための動力伝達機構に連結されている。
【００２５】
また、錠装置１は受信器１９を備え、受信器１９は、扉２の部屋内側において、内側エスカチオン１６に設けられた取付孔１６Ｂに取り付けられている。また、錠装置１は、錠装置１が分解されたときに、これを検知して警報を鳴らす分解検知回路２０を備えている。分解検知回路２０は、分解検知手段および警報出力手段の具体例である。受信器１９および分解検知回路２０については後述する。
【００２６】
このような構成を有する錠装置１の基本的な施解錠動作は次のとおりである。すなわち、施錠時には、デッドボルトを、扉２から突出するように移動させた状態で固定することにより、扉２を開扉不能にする。解錠時には、デッドボルトを、扉２内に引き込むように移動させることにより、扉２を開扉可能にする。デッドボルトのこのような移動は、錠装置１の外部（例えば部屋内に設けられた操作盤、または扉２の部屋外側の面に取り付けられたカードリーダ（いずれも図示せず））から出力される施解錠制御信号に従い、ボルト機構１２の電動アクチュエータを駆動させることにより行うことができる。また、デッドボルトのこのような移動は、シリンダユニット１４の鍵穴１４Ａに合鍵を挿入して回転させ、ボルト機構１２におけるデッドボルトを移動させるための動力伝達機構を動作させることによっても行うことができる。さらに、デッドボルトのこのような移動は、サムターンユニット１７の摘み１７Ａを回転させ、ボルト機構１２におけるデッドボルトを移動させるための動力伝達機構を動作させることによっても行うことができる。
【００２７】
図２は、錠装置１内に設けられた分解検知回路等を示している。図２に示すように、錠装置１は、錠装置１が分解されたときに、これを検知して警報を鳴らす分解検知回路２０を備えている。
【００２８】
分解検知回路２０は、４つの検知回路部を備えている。第１の検知回路部は、外側エスカチオン１３が扉２から取り外されたことを検知する検知回路部であり、検知部２１、端子２２Ａ、２２Ｂ、およびループ状回路部２３を備えている。検知部２１は、錠ケース１１内に配置された基板３７上に設けられている。端子２２Ａは錠ケース１１に２個設けられており、各端子２２Ａは、その一端側が錠ケース１１において外側エスカチオン１３と接触または対向する面上で露出するように錠ケース１１に固定されている。また、各端子２２Ａの他端側は配線コード等を介して検知部２１に接続されている。なお、錠ケース１１が金属で形成されている場合には、端子２２Ａと錠ケース１１との間に絶縁体を介在させる。端子２２Ｂは外側エスカチオン１３に２個設けられており、各端子２２Ｂは、その一端側が外側エスカチオン１３において錠ケース１１と接触または対向する面上で露出するように外側エスカチオン１３に固定されている。また、一方の端子２２Ｂの他端側は配線コード等を介して他方の端子２２Ｂの他端側に接続されている。
【００２９】
扉２の内部に錠装置本体１０が設けられ、扉２の部屋外側の面に外側エスカチオン１３が取り付けられた状態では、各端子２２Ａと各端子２２Ｂとが相互に直接接触し、それぞれの間が電気的に接続される。これにより、錠装置本体１０と外側エスカチオン１３との間を電気的に接続するループ状回路部２３が形成される。一方、外側エスカチオン１３または錠装置本体１０が扉２から取り外され、外側エスカチオン１３と錠装置本体１０とが相互に分離すると、各端子２２Ａと各端子２２Ｂとが相互に接触しなくなり、ループ状回路部２３が切断される。検知部２１は、ループ状回路部２３がこのように切断されたことを検知し、ループ状回路部２３が切断されたことを示す切断検知信号を制御部３３に出力する。
【００３０】
また、第２の検知回路部は、シリンダユニット１４が錠制御装置１０から取り外されたことを検知する検知回路部であり、検知部２４、端子２５Ａ、２５Ｂ、およびループ状回路部２６を備えている。検知部２４は、錠ケース１１内において基板３７上に設けられている。端子２５Ａは錠ケース１１に２個設けられており、各端子２５Ａは、その一端側が錠ケース１１においてシリンダユニット１４と接触または対向する面上で露出するように錠ケース１１に固定されている。また、各端子２５Ａの他端側は配線コード等を介して検知部２４に接続されている。なお、錠ケース１１が金属で形成されている場合には、端子２５Ａと錠ケース１１との間に絶縁体を介在させる。端子２５Ｂはシリンダユニット１４に２個設けられており、各端子２５Ｂは、その一端側がシリンダユニット１４において錠ケース１１と接触または対向する面上で露出するようにシリンダユニット１４に固定されている。また、一方の端子２５Ｂの他端側は配線コード等を介して他方の端子２５Ｂの他端側に接続されている。
【００３１】
扉２の内部に錠装置本体１０が設けられ、錠装置本体１０にシリンダユニット１４が取り付けられた状態では、各端子２５Ａと各端子２５Ｂとが相互に直接接触し、それぞれの間が電気的に接続される。これにより、錠装置本体１０とシリンダユニット１４との間を電気的に接続するループ状回路部２６が形成される。一方、シリンダユニット１４または錠装置本体１０が扉２から取り外され、シリンダユニット１４と錠装置本体１０とが相互に分離すると、各端子２５Ａと各端子２５Ｂとが相互に接触しなくなり、ループ状回路部２６が切断される。検知部２４は、ループ状回路部２６がこのように切断されたことを検知し、ループ状回路部２６が切断されたことを示す切断検知信号を制御部３３に出力する。
【００３２】
また、第３の検知回路部は、内側エスカチオン１６が扉２から取り外されたことを検知する検知回路部であり、検知部２７、端子２８Ａ、２８Ｂ、およびループ状回路部２９を備えている。検知部２７は、錠ケース１１内において基板３７上に設けられている。端子２８Ａは錠ケース１１に２個設けられており、各端子２８Ａは、その一端側が錠ケース１１において内側エスカチオン１６と接触または対向する面上で露出するように錠ケース１１に固定されている。また、各端子２８Ａの他端側は配線コード等を介して検知部２７に接続されている。なお、錠ケース１１が金属で形成されている場合には、端子２８Ａと錠ケース１１との間に絶縁体を介在させる。端子２８Ｂは内側エスカチオン１６に２個設けられており、各端子２８Ｂは、その一端側が内側エスカチオン１６において錠ケース１１と接触または対向する面上で露出するように内側エスカチオン１６に固定されている。また、一方の端子２８Ｂの他端側は配線コード等を介して他方の端子２８Ｂの他端側に接続されている。
【００３３】
扉２の内部に錠装置本体１０が設けられ、扉２の部屋内側の面に内側エスカチオン１６が取り付けられた状態では、各端子２８Ａと各端子２８Ｂとが相互に直接接触し、それぞれの間が電気的に接続される。これにより、錠装置本体１０と内側エスカチオン１６との間を電気的に接続するループ状回路部２９が形成される。一方、内側エスカチオン１６または錠装置本体１０が扉２から取り外され、内側エスカチオン１６と錠装置本体１０とが相互に分離すると、各端子２８Ａと各端子２８Ｂとが相互に接触しなくなり、ループ状回路部２９が切断される。検知部２７は、ループ状回路部２９がこのように切断されたことを検知し、ループ状回路部２９が切断されたことを示す切断検知信号を制御部３３に出力する。
【００３４】
また、第４の検知回路部は、サムターンユニット１７が錠制御装置１０から取り外されたことを検知する検知回路部であり、検知部３０、端子３１Ａ、３１Ｂ、およびループ状回路部３２を備えている。検知部３０は、錠ケース１１内において基板３７上に設けられている。端子３１Ａは錠ケース１１に２個設けられており、各端子３１Ａは、その一端側が錠ケース１１においてサムターンユニット１７と接触または対向する面上で露出するように錠ケース１１に固定されている。また、各端子３１Ａの他端側は配線コード等を介して検知部３０に接続されている。なお、錠ケース１１が金属で形成されている場合には、端子３１Ａと錠ケース１１との間に絶縁体を介在させる。端子３１Ｂはサムターンユニット１７に２個設けられており、各端子３１Ｂは、その一端側がサムターンユニット１７において錠ケース１１と接触または対向する面上で露出するようにサムターンユニット１７に固定されている。また、一方の端子３１Ｂの他端側は配線コード等を介して他方の端子３１Ｂの他端側に接続されている。
【００３５】
扉２の内部に錠装置本体１０が設けられ、錠装置本体１０にサムターンユニット１７が取り付けられた状態では、各端子３１Ａと各端子３１Ｂとが相互に直接接触し、それぞれの間が電気的に接続される。これにより、錠装置本体１０とサムターンユニット１７との間を電気的に接続するループ状回路部３２が形成される。一方、サムターンユニット１７または錠装置本体１０が扉２から取り外され、サムターンユニット１７と錠装置本体１０とが相互に分離すると、各端子３１Ａと各端子３１Ｂとが相互に接触しなくなり、ループ状回路部３２が切断される。検知部３０は、ループ状回路部３２がこのように切断されたことを検知し、ループ状回路部３２が切断されたことを示す切断検知信号を制御部３３に出力する。
【００３６】
また、分解検知回路２０は、制御部３３およびブザー３４を備えている。制御部３３は、錠ケース１１内において基板３７上に設けられており、基板３７上において検知部２１、２４、２７，３０およびブザー３４に配線パターン等を介して接続されている。制御部３３は、検知部２１、２４、２７および３０のうちの少なくとも１つから切断検知信号を受け取ったときに、警報としてのブザー音をブザー３４に出力させるための警報出力信号をブザー３４に出力する。ブザー３４は、基板３７上に設けられており、制御部３３からの警報出力信号によりブザー音を出力する。
【００３７】
また、制御部３３には受信器１９が配線コード等を介して接続されている。受信器１９は、例えば専用の発信装置との間で赤外線等を介して無線通信を行うことができる。発信装置から警報オフ信号が発信されると、警報オフ信号は受信器１９により受信され、制御部３３に入力される。警報オフ信号が入力されると、制御部３３はオフ状態となり、各検知部２１、２４、２７、３０から切断検知信号が出力されても、警報出力信号をブザー３４に出力しなくなる。一方、発信装置から警報オン信号が発信され、警報オン信号が受信器１９を介して制御部３３に入力されると、制御部３３はオン状態となり、各検知部２１、２４、２７、３０から切断検知信号が出力されたとき、警報出力信号をブザー３４に出力するようになる。
【００３８】
また、錠ケース１１内において、基板３７上には、専用電源３５および充電回路３６が設けられている。専用電源３５は、検知部２１、２４、２７、３０、ループ状回路部２３、２６、２９、３２、制御部３３およびブザー３４を動作させるための電力をこれらに供給する電源であり、例えば蓄電池である。なお、検知部２１、２４、２７、３０、ループ状回路部２３、２６、２９、３２、制御部３３およびブザー３４と専用電源３５との間の電力供給用の配線は図示を省略している。専用電源３５は、ボルト機構１２の電動アクチュエータを駆動するための駆動電源とは別の電源である。専用電源３５は、錠ケース１１を分解しない限り取り出すことができないように錠ケース１１内に収容されている。充電回路３６は、ボルト機構１２の電動アクチュエータを駆動するための駆動電源を用いて専用電源３５を充電するための回路である。例えば、充電回路３６は駆動電源である電池が交換されたときに、専用電源３５を充電する。
【００３９】
このような構成を有する分解検知回路２０の動作は次のとおりである。例えば、部屋の管理者等は、通常時は、制御部３３をオン状態にしておく。制御部３３がオン状態の間に、例えば不正行為者が、部屋内側から、錠装置１の内側エスカチオン１６を扉２から取り外すと、ループ状回路部２９が切断される。ループ状回路部２９が切断されると、検知部２７がその旨を検知し、切断検知信号を制御部３３に出力する。切断検知信号を受け取った制御部３３は、警報出力信号をブザー３４に出力する。この結果、ブザー３４は警報としてブザー音を出力する。
【００４０】
また、もし不正行為者が、例えば切削工具等を用いて、内側エスカチオン１６を扉２から取り外さずに、シリンダユニット１４を取り外したとしても、これによりループ状回路部２３が切断されるので、検知部２１がこれを検知し、切断検知信号を制御部３３に出力する。切断検知信号を受け取った制御部３３は、警報出力信号をブザー３４に出力し、この結果、ブザー３４からブザー音が出力される。不正行為者がサムターンユニット１７や外側エスカチオン１３を取り外した場合も、同様に、ブザー３４からブザー音が出力される。
【００４１】
このように、内側エスカチオン１６、シリンダユニット１４、サムターンユニット１７および外側エスカチオン１３のいずれか１つでも錠装置本体１０または扉２から取り外されるとブザー音が出力される。これにより、管理者等は錠装置１が不正行為者により分解されていることを知ることができ、不正行為を早期に発見し、当該不正行為者によるシリンダユニットのすり替え行為や窃盗行為等を未然に防ぐことができる。また、ブザー音が鳴っている最中では、不正行為者は心理的に不正行為を続行することが困難になるので、不正行為者による不正行為の遂行を阻止することができる。
【００４２】
また、もし不正行為者が、ボルト機構１２の電動アクチュエータを駆動するための駆動電源である電池を取り外し、あるいは、当該駆動電源に接続されている配線を切断してから、シリンダユニット１４等の取外行為を行った場合でも、分解検知回路２０は、駆動電源とは別の専用電源３５で動作するので、ブザー３４からブザー音が出力される。これにより、不正行為者が、駆動電源（主電源）さえ切ってしまえば錠装置１の機能がすべて停止するであろうと予想して取外行為に着手しても、取り外した結果、ブザー音が出力されるので、不正行為の続行を阻止することができる。
【００４３】
一方、正当な理由によりシリンダユニット１４の交換や錠装置１の修理をする必要が生じた場合等には、管理者または管理者から依頼を受けた作業者等は、発信装置から錠装置１に警報オフ信号を発信し、制御部３３をオフ状態にした後、錠装置１を分解する。この場合には、内側エスカチオン１６、シリンダユニット１４、サムターンユニット１７および外側エスカチオン１３のいずれを取り外しても、ブザー音は出力されない。これにより、正当な理由によるシリンダユニット１４の交換や錠装置１の修理を適切に行うことができる。
【００４４】
なお、上述した実施形態では、外側エスカチオン１３、シリンダユニット１４、内側エスカチオン１６およびサムターンユニット１７を、分解検知回路２０により取外検知を行う検知対象物に設定する場合を例にあげたが、本発明はこれに限らない。例えば、不正行為者によるすり替えの対象であるシリンダユニット１４のみを検知対象物に設定してもよいし、取外行為の着手時に最初に取り外される可能性が最も高い内側エスカチオン１６のみを検知対象物としてもよい。また、外装である内側エスカチオン１６および外側エスカチオン１３のみを検知対象物に設定してもよいし、内部部品であるシリンダユニット１４およびサムターンユニット１７のみを検知対象物に設定しもよい。さらに、外側エスカチオン１３、シリンダユニット１４、内側エスカチオン１６およびサムターンユニット１７以外の錠装置１を構成する部品を検知対象物に設定することもできる。
【００４５】
また、上述した実施形態では、端子２２Ａ、２５Ａ、２８Ａ、３１Ａと端子２２Ｂ、２５Ｂ、２８Ｂ、３１Ｂとの分離により、外側エスカチオン１３、シリンダユニット１４、内側エスカチオン１６およびサムターンユニット１７のいずれかが錠装置本体１０または扉２から取り外されたことを検知する場合を例にあげたが、本発明はこれに限らない。例えば、錠装置本体１０と、外側エスカチオン１３、シリンダユニット１４、内側エスカチオン１６およびサムターンユニット１７のそれぞれとを配線コードによって直接接続し、これら配線コードのうちのいずれかが切断されたことを検知することで、外側エスカチオン１３、シリンダユニット１４、内側エスカチオン１６およびサムターンユニット１７のいずれかが錠装置本体１０または扉２から取り外されたことを認識する構成としてもよい。もっとも、上記実施形態のように、端子２２Ａ、２５Ａ、２８Ａ、３１Ａおよび端子２２Ｂ、２５Ｂ、２８Ｂ、３１Ｂを用いた方が分解検知回路２０を簡単に形成することができ、錠装置１の組立性も良い。
【００４６】
また、上述した実施形態では、ループ状回路部２３、２６、２９、３２の切断を電気的に検知することにより、外側エスカチオン１３、シリンダユニット１４、内側エスカチオン１６およびサムターンユニット１７のいずれかが錠装置本体１０または扉２から取り外されたことを認識する場合を例にあげたが、本発明はこれに限らない。例えば、錠装置本体１０と外側エスカチオン１３、シリンダユニット１４、内側エスカチオン１６およびサムターンユニット１７のそれぞれとの間にスイッチを設け、外側エスカチオン１３、シリンダユニット１４、内側エスカチオン１６およびサムターンユニット１７のそれぞれが錠装置本体１０または扉２に取り付けられているときには、各スイッチがオンとなり、外側エスカチオン１３、シリンダユニット１４、内側エスカチオン１６およびサムターンユニット１７のそれぞれが錠装置本体１０または扉２から取り外されたときに各スイッチがオフとなるようにし、いずれかのスイッチがオフとなったときに、外側エスカチオン１３、シリンダユニット１４、内側エスカチオン１６およびサムターンユニット１７のいずれかが錠装置本体１０または扉２から取り外されたことを認識する構成としてもよい。
【００４７】
また、上述した実施形態では、外側エスカチオン１３、シリンダユニット１４、内側エスカチオン１６およびサムターンユニット１７のいずれかが錠装置本体１０または扉２から取り外されたときの警報としてブザー音を出力する場合を例にあげたが、本発明はこれに限らない。警報として、ランプを点灯ないし点滅させたり、警報信号を錠装置１の外部に送信してもよい。
【００４８】
また、上述した実施形態では、錠装置１が電気錠である場合を例にあげたが、本発明は、電気錠でない錠装置にも適用することができる。また、上述した実施形態では、ラッチボルト機構やレバーハンドル１５、１８が一体的に組み込まれたタイプの錠装置１を例にあげたが、本発明は、ラッチボルト機構やレバーハンドルが設けられていないタイプの錠装置にも適用することができる。
【００４９】
また、本発明は、請求の範囲および明細書全体から読み取ることのできる発明の要旨または思想に反しない範囲で適宜変更可能であり、そのような変更を伴う錠装置もまた本発明の技術思想に含まれる。
【符号の説明】
【００５０】
１  錠装置
２  扉
１０  錠装置本体
１１  錠ケース
１２  ボルト機構
１３  外側エスカチオン（一側エスカチオン）
１４  シリンダユニット
１６  内側エスカチオン（他側エスカチオン）
１７  サムターンユニット
２０  分解検知回路（分解検知手段）
２１、２４、２７、３０  検知部
２２Ａ、２２Ｂ、２５Ａ、２５Ｂ、２８Ａ、２８Ｂ、３１Ａ、３１Ｂ  端子
２３、２６、２９、３２  ループ状回路部（電気回路）
３３  制御部
３４  ブザー（警報出力手段）
３５  専用電源
【図１】
2012026203.tif 000003
【図２】
2012026203.tif 000004